(57)【特許請求の範囲】
【請求項１】
マルチキャリアＣＤＭＡ方式を採用する移動体通信システムにおいて、
送信側が、
サブキャリア群単位に変換された送信データを用いて、サブキャリア群単位に、共通パイロット部分と受信側で信号対干渉電力比を推定するための既知系列部分とデータ部分で構成されたスロットを作成し、各スロットを所定のサブキャリア数分だけ複製して出力するスロット作成手段と、
複製後の信号をサブキャリア群中のサブキャリア単位に変調する変調手段と、
変調後のサブキャリア群中のサブキャリア信号に対して個別に周波数拡散を行う周波数拡散手段と、
周波数拡散後のサブキャリア信号に対してサブキャリア群単位に送信電力制御を行う送信電力制御手段と、
送信電力制御後のサブキャリア信号をサブキャリア群単位に多重化する多重化手段と、
多重化後のサブキャリア信号に対して逆フーリエ変換処理、ガードインターバル設定処理および周波数変換処理を行うことで生成した所定の信号を伝送路上に送信する送信手段と、
を備え、
受信側が、
受け取った伝送路上の信号をベースバンド信号に変換し、当該ベースバンド信号に対してフーリエ変換を行う受信手段と、
フーリエ変換後の各サブキャリア信号に含まれる共通パイロット部分を抽出する共通パイロット抽出手段と、
前記共通パイロット部分を用いてサブキャリア単位のチャネル推定値を算出するチャネル推定手段と、
フーリエ変換後の各サブキャリア信号を前記抽出処理およびチャネル推定処理に要する時間だけ遅延させる遅延手段と、
前記各チャネル推定値を用いて遅延後の各サブキャリア信号のフェ−ジング補償を行うフェ−ジング補償手段と、
フェ−ジング補償後の各サブキャリア信号に対して周波数逆拡散を行う周波数逆拡散手段と、
周波数逆拡散後のサブキャリア群の信号に含まれる既知系列部分を用いて信号対干渉電力比を推定するＳＩＲ推定手段と、
周波数逆拡散後のサブキャリア群の信号を復調する復調手段と、
を備えることを特徴とする移動体通信システム。
【請求項２】
前記チャネル推定手段は、サブキャリア単位のチャネル推定値を算出後、さらに、当該サブキャリア単位のチャネル推定値と、次スロット入力時に算出されるサブキャリア単位のチャネル推定値と、の２つのスロット間における一次補間値を算出し、その算出結果をチャネル推定値として出力することを特徴とする請求項１に記載の移動体通信システム。
【請求項３】
前記ＳＩＲ推定手段は、
前記既知系列部分を抽出する既知系列抽出手段と、
予め判っている既知系列を発生する既知系列発生手段と、
前記既知系列を利用して前記既知系列部分の変調成分を除去する逆変調手段と、
変調成分除去後の既知系列部分を用いて同相平均化処理を行うことで雑音成分を抑圧する第１の平均化手段と、
平均化処理後の既知系列部分を２乗することで信号電力を算出する第１の２乗手段と、
前記既知系列と平均化処理後の既知系列部分とを用いて再変調処理を行う再変調手段と、
前記既知系列抽出手段にて抽出した既知系列部分から再変調後の信号を減算する減算手段と、
減算後の信号を２乗する第２の２乗手段と、
前記第２の２乗手段出力の信号を用いて干渉電力の平均化処理を行う第２の平均化手段と、
前記信号電力を前記平均干渉電力で除算する除算手段と、
サブキャリア群単位に得られる前記除算結果を合成し、合成時に使用したサブキャリア群数を用いて当該合成結果を平均化するサブキャリア群平均化手段と、
サブキャリア群数による平均化後の信号を複数スロットにわたって平均化するスロット平均化手段と、
を備えることを特徴とする請求項１または２に記載の移動体通信システム。
【請求項４】
前記ＳＩＲ推定手段は、
前記既知系列部分を抽出する既知系列抽出手段と、
予め判っている既知系列を発生する既知系列発生手段と、
前記既知系列を利用して前記既知系列部分の変調成分を除去する逆変調手段と、
変調成分除去後の既知系列部分を用いて同相平均化処理を行うことで雑音成分を抑圧する第１の平均化手段と、
平均化処理後の既知系列部分を２乗することで信号電力を算出する第１の２乗手段と、
前記既知系列と平均化処理後の既知系列部分とを用いて再変調処理を行う再変調手段と、
前記既知系列抽出手段にて抽出した既知系列部分から再変調後の信号を減算する減算手段と、
減算後の信号を２乗する第２の２乗手段と、
前記第２の２乗手段出力の信号を用いて干渉電力の平均化処理を行う第２の平均化手段と、
前記平均干渉電力を複数スロットにわたって平均化する第１のスロット平均化手段と、
前記信号電力を複数スロットにわたって平均化された平均干渉電力で除算する除算手段と、
サブキャリア群単位に得られる前記除算結果を合成し、合成時に使用したサブキャリア群数を用いて当該合成結果を平均化するサブキャリア群平均化手段と、
サブキャリア群数による平均化後の信号を複数スロットにわたって平均化するスロット平均化手段と、
を備えることを特徴とする請求項１または２に記載の移動体通信システム。
【請求項５】
前記ＳＩＲ推定手段は、前記サブキャリア群平均化手段の出力を、推定信号対干渉電力比とすることを特徴とする請求項３または４に記載の移動体通信システム。
【請求項６】
前記ＳＩＲ推定手段は、サブキャリア群単位に得られる除算結果を、推定信号対干渉電力比とすることを特徴とする請求項３または４に記載の移動体通信システム。
【請求項７】
前記ＳＩＲ推定手段は、サブキャリア群単位に得られる除算結果を、サブキャリア群単位に複数スロットにわたって平均化し、その平均化結果を推定信号対干渉電力比とすることを特徴とする請求項６に記載の移動体通信システム。
【請求項８】
前記変調手段は、
受け取った信号対干渉電力比に応じて、ＢＰＳＫ，ＱＰＳＫ，８ＰＳＫ，１６ＰＳＫ，１６ＱＡＭ，６４ＱＡＭ，１２８ＱＡＭ，２５６ＱＡＭのなかから、いずれか１つの変調方式を選択することを特徴とする請求項１〜７のいずれか一つに記載の移動体通信システム。
【請求項９】
前記周波数拡散手段は、
受け取った信号対干渉電力比に応じて、適切な周波数拡散率を選択することを特徴とする請求項１〜８のいずれか一つに記載の移動体通信システム。
【請求項１０】
サブキャリア群単位に変換された送信データを用いて、サブキャリア群単位に、共通パイロット部分と受信側で信号対干渉電力比を推定するための既知系列部分とデータ部分で構成されたスロットを作成し、各スロットを所定のサブキャリア数分だけ複製して出力するスロット作成手段と、
複製後の信号をサブキャリア群中のサブキャリア単位に変調する変調手段と、
変調後のサブキャリア群中のサブキャリア信号に対して個別に周波数拡散を行う周波数拡散手段と、
周波数拡散後のサブキャリア信号に対してサブキャリア群単位に送信電力制御を行う送信電力制御手段と、
送信電力制御後のサブキャリア信号をサブキャリア群単位に多重化する多重化手段と、
多重化後のサブキャリア信号に対して逆フーリエ変換処理、ガードインターバル設定処理および周波数変換処理を行うことで生成した所定の信号を伝送路上に送信する送信手段と、
を備えることを特徴とするマルチキャリアＣＤＭＡ送信装置。
【請求項１１】
前記変調手段は、
受け取った信号対干渉電力比に応じて、ＢＰＳＫ，ＱＰＳＫ，８ＰＳＫ，１６ＰＳＫ，１６ＱＡＭ，６４ＱＡＭ，１２８ＱＡＭ，２５６ＱＡＭのなかから、いずれか１つの変調方式を選択することを特徴とする請求項１０に記載のマルチキャリアＣＤＭＡ送信装置。
【請求項１２】
前記周波数拡散手段は、
受け取った信号対干渉電力比に応じて、適切な周波数拡散率を選択することを特徴とする請求項１０または１１に記載のマルチキャリアＣＤＭＡ送信装置。
【請求項１３】
受け取った伝送路上の信号をベースバンド信号に変換し、当該ベースバンド信号に対してフーリエ変換を行う受信手段と、
フーリエ変換後の各サブキャリア信号に含まれる共通パイロット部分を抽出する共通パイロット抽出手段と、
前記共通パイロット部分を用いてサブキャリア単位のチャネル推定値を算出するチャネル推定手段と、
フーリエ変換後の各サブキャリア信号を前記抽出処理およびチャネル推定処理に要する時間だけ遅延させる遅延手段と、
前記各チャネル推定値を用いて遅延後の各サブキャリア信号のフェ−ジング補償を行うフェ−ジング補償手段と、
フェ−ジング補償後の各サブキャリア信号に対して周波数逆拡散を行う周波数逆拡散手段と、
周波数逆拡散後のサブキャリア群の信号に含まれる既知系列部分を用いて信号対干渉電力比を推定するＳＩＲ推定手段と、
周波数逆拡散後のサブキャリア群の信号を復調する復調手段と、
を備えることを特徴とするマルチキャリアＣＤＭＡ受信装置。
【請求項１４】
前記チャネル推定手段は、サブキャリア単位のチャネル推定値を算出後、さらに、当該サブキャリア単位のチャネル推定値と、次スロット入力時に算出されるサブキャリア単位のチャネル推定値と、の２つのスロット間における一次補間値を算出し、その算出結果をチャネル推定値として出力することを特徴とする請求項１３に記載のマルチキャリアＣＤＭＡ受信装置。
【請求項１５】
前記ＳＩＲ推定手段は、
前記既知系列部分を抽出する既知系列抽出手段と、
予め判っている既知系列を発生する既知系列発生手段と、
前記既知系列を利用して前記既知系列部分の変調成分を除去する逆変調手段と、
変調成分除去後の既知系列部分を用いて同相平均化処理を行うことで雑音成分を抑圧する第１の平均化手段と、
平均化処理後の既知系列部分を２乗することで信号電力を算出する第１の２乗手段と、
前記既知系列と平均化処理後の既知系列部分とを用いて再変調処理を行う再変調手段と、
前記既知系列抽出手段にて抽出した既知系列部分から再変調後の信号を減算する減算手段と、
減算後の信号を２乗する第２の２乗手段と、
前記第２の２乗手段出力の信号を用いて干渉電力の平均化処理を行う第２の平均化手段と、
前記信号電力を前記平均干渉電力で除算する除算手段と、
サブキャリア群単位に得られる前記除算結果を合成し、合成時に使用したサブキャリア群数を用いて当該合成結果を平均化するサブキャリア群平均化手段と、
サブキャリア群数による平均化後の信号を複数スロットにわたって平均化するスロット平均化手段と、
を備えることを特徴とする請求項１３または１４に記載のマルチキャリアＣＤＭＡ受信装置。
【請求項１６】
前記ＳＩＲ推定手段は、
前記既知系列部分を抽出する既知系列抽出手段と、
予め判っている既知系列を発生する既知系列発生手段と、
前記既知系列を利用して前記既知系列部分の変調成分を除去する逆変調手段と、
変調成分除去後の既知系列部分を用いて同相平均化処理を行うことで雑音成分を抑圧する第１の平均化手段と、
平均化処理後の既知系列部分を２乗することで信号電力を算出する第１の２乗手段と、
前記既知系列と平均化処理後の既知系列部分とを用いて再変調処理を行う再変調手段と、
前記既知系列抽出手段にて抽出した既知系列部分から再変調後の信号を減算する減算手段と、
減算後の信号を２乗する第２の２乗手段と、
前記第２の２乗手段出力の信号を用いて干渉電力の平均化処理を行う第２の平均化手段と、
前記平均干渉電力を複数スロットにわたって平均化する第１のスロット平均化手段と、
前記信号電力を複数スロットにわたって平均化された平均干渉電力で除算する除算手段と、
サブキャリア群単位に得られる前記除算結果を合成し、合成時に使用したサブキャリア群数を用いて当該合成結果を平均化するサブキャリア群平均化手段と、
サブキャリア群数による平均化後の信号を複数スロットにわたって平均化するスロット平均化手段と、
を備えることを特徴とする請求項１３または１４に記載のマルチキャリアＣＤＭＡ受信装置。
【請求項１７】
前記ＳＩＲ推定手段は、前記サブキャリア群平均化手段の出力を、推定信号対干渉電力比とすることを特徴とする請求項１５または１６に記載のマルチキャリアＣＤＭＡ受信装置。
【請求項１８】
前記ＳＩＲ推定手段は、サブキャリア群単位に得られる除算結果を、推定信号対干渉電力比とすることを特徴とする請求項１５または１６に記載のマルチキャリアＣＤＭＡ受信装置。
【請求項１９】
前記ＳＩＲ推定手段は、サブキャリア群単位に得られる除算結果を、サブキャリア群単位に複数スロットにわたって平均化し、その平均化結果を推定信号対干渉電力比とすることを特徴とする請求項１８に記載のマルチキャリアＣＤＭＡ受信装置。
【発明の詳細な説明】
【０００１】
【発明の属する技術分野】
本発明は、マルチキャリアＣＤＭＡ方式を採用する移動体通信システム、マルチキャリアＣＤＭＡ送信装置（以降、単に送信装置と呼ぶ）、およびマルチキャリアＣＤＭＡ受信装置（以降、受信装置と呼ぶ）に関するものであり、特に、周波数選択性フェージング伝送路で用いられる送信装置および受信装置に関するものである。
【０００２】
【従来の技術】
以下、マルチキャリアＣＤＭＡ方式を採用する従来の移動体通信システムについて説明する。従来のマルチキャリアＣＤＭＡ方式を用いた多元接続方式の移動体通信システムの送受信装置としては、たとえば、文献「下りリンクブロードバンド無線パケット伝送におけるSC/DS-CDMA,MC/DS-CDMA,MC-CDMA方式の特性比較、電子情報通信学会 信学技報 RCS99-130 p.63-70 1999年10月」、「Overview of Multicarrier CDMA、IEEE Communications Magazine p.126-133 1997年12月」に記載されている。
【０００３】
図１４は、上記文献記載の従来のマルチキャリアＣＤＭＡ送信装置の構成を示す図である。図１４において、２０１はシリアル／パラレル変換部（Ｓ／Ｐ）であり、２０２−１，２０２−２，…，２０２−ｎはそれぞれ第１，２，…，Ｎscg（＝ｎ）番目のサブキャリア群変調処理部であり、２０３−１，２０３−２，…，２０３−ｎは多重化部であり、２０４は逆フーリエ変換部であり、２０５はガードインターバル（ＧＩ）付加部であり、２０６は周波数変換部であり、２０７はアンテナである。また、各サブキャリア群変調処理部において、２１１−１，２１１−２，…，２１１−ｎはスロット作成部であり、２１２−１，２１２−２，…，２１２−ｎはコピー部であり、２１３−１，２１３−２，…，２１３−ｋは情報変調部であり、２１４−１，２１４−２，…，２１４−ｎは周波数拡散部である。
【０００４】
また、図１５は、上記文献記載の従来のマルチキャリアＣＤＭＡ受信装置の構成を示す図である。図１５において、３０１はアンテナであり、３０２は周波数変換部であり、３０３はガードインターバル（ＧＩ）除去部であり、３０４はフーリエ変換部であり、３０５−１，３０５−２，３０５−３，…，３０５−ｍは共通パイロット抽出部であり、３０６はサブキャリア毎チャネル推定部であり、３０７は遅延器であり、３０８−１，３０８−２，３０８−３，…，３０８−ｍはフェ−ジング補償部であり、３０９は周波数逆拡散部であり、３１０はパラレル／シリアル変換部（Ｐ／Ｓ）、３１１はデータ判定部である。
【０００５】
ここで、上記のように構成される従来のマルチキャリアＣＤＭＡ送受信装置の動作について説明する。なお、ここでは、基地局と複数端末間のデータ送受信を仮定する。
【０００６】
まず、送信装置の動作について説明する。任意の端末に対して送信する送信データは、シリアル／パラレル変換部２０１に入力され、ここで、並列数がＮscg（予め定められた整数）となるパラレルデータに変換され、それぞれ、サブキャリア群変調処理部２０２−１〜ｎに到達する。なお、サブキャリア群単位に変調処理を行う第１番目〜第Ｎscg番目のサブキャリア群変調処理部２０２−１〜ｎでは、すべて同一の信号処理を行うので、ここでは、第１番目のサブキャリア群変調処理部２０２−１での動作について説明を行い、他のサブキャリア群変調処理部については説明を省略する。
【０００７】
サブキャリア群変調処理部２０２−１には、シリアル／パラレル変換部２０１のパラレル出力のうち、第１番目のデータ系列が入力される。そして、スロット作成部２１１−１では、受け取ったデータ系列をＮdata単位に分割し、分割された各データの先頭に共通パイロットシンボルを付加し、一つのデータスロットさらにはＮスロット構成のフレームを作成する。図１６は、サブキャリア単位のフレームフォーマットを示す図である。図示のとおり、データスロットはパイロットシンボル部分（既知系列）とデータ部分で構成される。
【０００８】
第１番目のサブキャリア群のデータスロットを受け取ったコピー部２１２−１では、当該フレームを予め定められたサブキャリア数Ｎsub（＝ｍ）分だけコピーしてサブキャリアＮsub個分のデータスロットを作成する。図１７は、各コピー部の構成を示す図である。そして、コピー部２１２−１では、Ｎsub個分のデータスロットを情報変調部２１３−１に対して出力する。
【０００９】
図１８は、各情報変調部の構成を示す図である。図１８において、２２１−１，２２１−２，…，２２１−ｍはＱＰＳＫ変調部である。Ｎsub個分のデータスロットを受け取った情報変調部２１３−１では、当該データスロットをＱＰＳＫ変調部２２１−１〜２２１−ｍでＱＰＳＫ変調し、Ｎsub個の情報変調後サブキャリア信号を作成する。そして、当該Ｎsub個の情報変調後サブキャリア信号を周波数拡散部２１４−１に対して出力する。
【００１０】
図１９は、各周波数拡散部の構成を示す図である。図１９において、２２２は周波数拡散コード生成部であり、２２３−１，２２３−２，…，２２３−ｍは乗算器である。周波数拡散部２１４−１では、Ｎsub個の情報変調後サブキャリア信号に対して、複数の端末単位あるいは送信する他のチャネル単位に予め与えられた互いに直交する周波数拡散コード（ただし、コードは±１で表現される）を用いて、周波数拡散を行う。具体的にいうと、Ｎsub個の情報変調後サブキャリア信号に、周波数拡散コード生成部２２２が出力する各周波数拡散コードを乗算する。なお、周波数拡散コードは、一般的に、直交符号であるＷａｌｓｃｈ符号が用いられる。そして、周波数拡散部２１４−１では、Ｎsub個の周波数拡散後サブキャリア信号を多重化部２０３−１に対して出力する。
【００１１】
Ｎsub個の周波数拡散後サブキャリア信号を受け取った多重化部２０３−１では、当該各サブキャリア信号（複数の端末へ送信するための送信信号）を多重化し、多重化後のサブキャリア信号を逆フーリエ変換部２０４に対して出力する。このとき、逆フーリエ変換部２０４には、多重化部２０３−１の他、多重化部２０３−２〜２０３−ｎで得られた多重化後のサブキャリア信号も入力され、合計でＮscg×Ｎsub（＝Ｎc）個のサブキャリア信号が入力される。
【００１２】
逆フーリエ変換部２０４では、受け取った複数のサブキャリア信号を用いて逆フーリエ変換処理を行い、逆フーリエ変換後の信号をガードインターバル付加部２０５に対して出力する。
【００１３】
図２０は、ガードインターバルを付加する様子を説明するための図である。逆フーリエ変換後の信号は、図２０上部に示されるように、シンボルの連続信号である。ガードインターバル付加部２０５では、当該逆フーリエ変換後の信号におけるシンボルの後部をτGI時間分だけコピーし、それをシンボルの先頭に貼り付ける。そして、ガードインターバル付加後の信号を周波数変換部２０６に対して出力する。なお、τGIは、一般的に、伝送路上の遅延波広がり、すなわち、図２１に示すτdよりも小さくなるように設定される。図２１は、周波数選択性フェージング伝送路のインパルス応答の一例を示す図である。移動体通信システムにおいては、周囲の建物や地形によって電波が反射，回折、散乱するため、複数の伝送路を経た波（マルチパス波）が到来し、お互いに干渉する（周波数選択性フェージング）。
【００１４】
周波数変換部２０６では、受け取ったガードインターバル付加後の信号に対して所定の周波数変換処理を行い、その後、アンテナを介して、当該周波数変換後の信号を無線通信における伝送路上に出力する。図２２は、たとえば、Ｎscg＝４、Ｎsub＝８の場合の周波数軸上の変調信号を示す図である。
【００１５】
つぎに、受信装置の動作を、図１５を用いて説明する。アンテナ３０１を介して、無線通信路上で周波数選択性フェージング等の影響を受けた信号を受け取った周波数変換部３０２では、当該信号をベースバンド信号に変換する。そして、当該ベースバンド信号をガードインターバル除去部３０３に対して出力する。
【００１６】
ガードインターバル除去部３０３では、受け取ったベースバンド信号からガードインターバル（ＧＩ）を除去し、シンボルごとに連なった信号（図２０上部参照）を生成する。そして、当該信号をフーリエ変換部３０４に対して出力する。
【００１７】
フーリエ変換部３０４では、受け取った信号に対してフーリエ変換処理を行い、Ｎscg×Ｎsub（＝Ｎc）個のサブキャリア信号を生成する。そして、当該複数のサブキャリア信号を、サブキャリア単位に、遅延器３０７および共通パイロット抽出部３０５−１〜３０５−ｍに対してそれぞれ出力する。
【００１８】
共通パイロット抽出部３０５−１〜３０５−ｍでは、それぞれ受け取ったサブキャリア信号から共通パイロット部分の抽出を行う。また、サブキャリア毎チャネル推定部３０６では、隣り合う３個のサブキャリアのチャネル推定値を同相加算することにより、雑音成分を抑圧したサブキャリア単位のチャネル推定値を算出する。そして、当該サブキャリア単位のチャネル推定値を、サブキャリア単位にフェ−ジング補償部３０８−１〜３０８−ｍに対して出力する。
【００１９】
一方、フーリエ変換後の各サブキャリア信号を受け取った遅延器３０７では、共通パイロット抽出部３０５−１〜３０５−ｍの処理とサブキャリア毎チャネル推定部３０６の処理による遅延を調整するため、遅延処理を行う。そして、遅延後のサブキャリア信号を、サブキャリア単位にフェ−ジング補償部３０８−１〜３０８−ｍに対して出力する。
【００２０】
図２３は、各フェ−ジング補償部の構成を示す図である。図２３において、３２１は乗算器であり、３２２は複素共役算出部である。サブキャリア単位のチャネル推定値を受け取った複素共役算出部３２２では、当該推定値の複素共役値を算出し、乗算器３２１では、受け取ったサブキャリア信号と算出された複素共役値とを乗算し、その乗算結果としてフェ−ジング補償後のサブキャリア信号を出力する。そして、当該フェ−ジング補償後のサブキャリア信号を、周波数逆拡散部３０９に対して出力する。
【００２１】
図２４は、周波数逆拡散部の構成を示す図である。図２４において、３２３は周波数逆拡散コード生成部であり、３２４−１，３２４−２，…，３２４−ｍは乗算器であり、３２５は合成部である。たとえば、図２２のサブキャリア群に対応したＮsub個のサブキャリア信号を一つの処理単位とし、乗算器３２４−１〜３２４−ｍには、Ｎsub個のサブキャリア信号が入力される。乗算器３２４−１〜３２４−ｍでは、当該Ｎsub個のサブキャリア信号と周波数逆拡散コード生成部３２３が出力する周波数逆拡散コード（周波数拡散コードと同一のコードであり±１で表現可能）とをそれぞれ乗算する。合成部３２５では、受け取ったＮsub個分の逆拡散後のサブキャリア信号を合成し、その合成結果としてサブキャリア群信号に相当する周波数逆拡散信号を生成する。そして、当該周波数逆拡散後信号を、パラレル／シリアル変換部３１０に対して出力する。
【００２２】
その後、パラレル／シリアル変換部３１０では、受け取った周波数逆拡散後信号に対してパラレル／シリアル変換処理を行い、最後に、データ判定部３１１では、当該変換後の信号に対してデータ判定を行い、データを復調する。
【００２３】
【発明が解決しようとする課題】
しかしながら、上記、従来の移動体通信システムにおいては、以下に示すような問題があった。
【００２４】
たとえば、従来の移動体通信システムにおいては、周囲の建物や地形によって電波が反射、回折、散乱するため、移動局に対して複数の伝送路を経たマルチパス波が到来する。そして、そのマルチパス波がお互いに干渉し、受信波の振幅と位相がランダムに変動する周波数選択性フェージングが発生する。特に、移動局が高速に移動するような場合には、周波数選択性フェ−ジングによる変動が高速となるため、フェ−ジングによる振幅変動および位相変動を十分に推定できず、受信信号品質やデータ復調精度が劣化する、という問題があった。
【００２５】
また、従来の移動体通信システムにおいては、マルチキャリアＣＤＭＡ受信装置側にて上記のように劣化した受信信号品質が算出され、さらに、マルチキャリアＣＤＭＡ送信装置側が当該劣化した受信信号品質を用いて送信電力制御を行っているため、通信の品質も劣化する、という問題があった。
【００２６】
また、従来の移動体通信システムにおいては、基地局からの送信信号が伝送路上で周波数選択性フェージングの影響を受けた場合に、伝送路状況によっては複数の遅延波が存在するため、移動局に到達している信号電力を受信信号品質の指標として算出することが難しい、という問題があった。また、多重するユーザの信号によって干渉が発生するような場合には、このユーザ干渉を考慮した受信信号品質を精度良く推定することが難しい、という問題もあった。
【００２７】
また、マルチメディア移動体通信においては、送信装置側が、取り扱うアプリケーションや伝送路の状態に応じて、周波数拡散率あるいは変調信号の多値数を変更し、情報速度を適応的に変えることが必要となる。しかしながら、従来の移動体通信システムにおいては、フェージング、シャドウイング等のレベル変動があるため、受信信号品質を精度よく推定することができない、という問題があった。
【００２８】
本発明は、上記に鑑みてなされたものであって、精度のよい受信信号品質の推定処理と良好なデータ復調を実現可能な移動体通信システム、マルチキャリアＣＤＭＡ送信装置およびマルチキャリアＣＤＭＡ受信装置を得ることを目的とする。
【００２９】
【課題を解決するための手段】
上述した課題を解決し、目的を達成するために、本発明にかかる移動体通信システムにあっては、送信側が、サブキャリア群単位に変換された送信データを用いて、サブキャリア群単位に、共通パイロット部分と受信側で信号対干渉電力比を推定するための既知系列部分とデータ部分で構成されたスロットを作成し、各スロットを所定のサブキャリア数分だけ複製して出力するスロット作成手段（後述する実施の形態のＳ／Ｐ２０１、スロット作成部１２−１〜１２−ｎ、コピー部２１２−１〜２１２−ｎに相当）と、複製後の信号をサブキャリア群中のサブキャリア単位に変調する変調手段（情報変調部２１３−１〜２１３−ｎに相当）と、変調後のサブキャリア群中のサブキャリア信号に対して個別に周波数拡散を行う周波数拡散手段（周波数拡散部２１４−１〜２１４−ｎに相当）と、周波数拡散後のサブキャリア信号に対してサブキャリア群単位に送信電力制御を行う送信電力制御手段（送信電力可変部１３−１〜１３−ｎに相当）と、送信電力制御後のサブキャリア信号をサブキャリア群単位に多重化する多重化手段（多重化部２０３−１〜２０３−ｎに相当）と、多重化後のサブキャリア信号に対して逆フーリエ変換処理、ガードインターバル設定処理および周波数変換処理を行うことで生成した所定の信号を伝送路上に送信する送信手段（逆フーリエ変換部２０４、ＧＩ付加部２０５、周波数変換部２０６、アンテナ２０７に相当）と、を備え、受信側が、受け取った伝送路上の信号をベースバンド信号に変換し、当該ベースバンド信号に対してフーリエ変換を行う受信手段（アンテナ３０１、周波数変換部３０２、ＧＩ除去部３０３、フーリエ変換部３０４に相当）と、フーリエ変換後の各サブキャリア信号に含まれる共通パイロット部分を抽出する共通パイロット抽出手段（共通パイロット抽出部３０５−１〜３０５−ｎに相当）と、前記共通パイロット部分を用いてサブキャリア単位のチャネル推定値を算出するチャネル推定手段（サブキャリア毎チャネル推定部３０６に相当）と、フーリエ変換後の各サブキャリア信号を前記抽出処理およびチャネル推定処理に要する時間だけ遅延させる遅延手段（値延器３０７に相当）と、前記各チャネル推定値を用いて遅延後の各サブキャリア信号のフェ−ジング補償を行うフェ−ジング補償手段（フェージング補償部１−１〜１−ｍに相当）と、フェ−ジング補償後の各サブキャリア信号に対して周波数逆拡散を行う周波数逆拡散手段（周波数逆拡散部３０９に相当）と、周波数逆拡散後のサブキャリア群の信号に含まれる既知系列部分を用いて信号対干渉電力比を推定するＳＩＲ推定手段（ＳＩＲ算出部２−１〜２−ｎ、サブキャリア群平均化部３、平均化部４に相当）と、周波数逆拡散後のサブキャリア群の信号を復調する復調手段（Ｐ／Ｓ３１０、データ判定部３１１に相当）と、を備えることを特徴とする。
【００３０】
つぎの発明にかかる移動体通信システムにおいて、前記チャネル推定手段は、サブキャリア単位のチャネル推定値を算出後、さらに、当該サブキャリア単位のチャネル推定値と、次スロット入力時に算出されるサブキャリア単位のチャネル推定値と、の２つのスロット間における一次補間値を算出し、その算出結果をチャネル推定値として出力することを特徴とする。
【００３１】
つぎの発明にかかる移動体通信システムにおいて、前記ＳＩＲ推定手段は、前記既知系列部分を抽出する既知系列抽出手段と、予め判っている既知系列を発生する既知系列発生手段と、前記既知系列を利用して前記既知系列部分の変調成分を除去する逆変調手段と、変調成分除去後の既知系列部分を用いて同相平均化処理を行うことで雑音成分を抑圧する第１の平均化手段と、平均化処理後の既知系列部分を２乗することで信号電力を算出する第１の２乗手段と、前記既知系列と平均化処理後の既知系列部分とを用いて再変調処理を行う再変調手段と、前記既知系列抽出手段にて抽出した既知系列部分から再変調後の信号を減算する減算手段と、減算後の信号を２乗する第２の２乗手段と、前記第２の２乗手段出力の信号を用いて干渉電力の平均化処理を行う第２の平均化手段と、前記信号電力を前記平均干渉電力で除算する除算手段と、サブキャリア群単位に得られる前記除算結果を合成し、合成時に使用したサブキャリア群数を用いて当該合成結果を平均化するサブキャリア群平均化手段と、サブキャリア群数による平均化後の信号を複数スロットにわたって平均化するスロット平均化手段と、を備えることを特徴とする。
【００３２】
つぎの発明にかかる移動体通信システムにおいて、前記ＳＩＲ推定手段は、前記既知系列部分を抽出する既知系列抽出手段と、予め判っている既知系列を発生する既知系列発生手段と、前記既知系列を利用して前記既知系列部分の変調成分を除去する逆変調手段と、変調成分除去後の既知系列部分を用いて同相平均化処理を行うことで雑音成分を抑圧する第１の平均化手段と、平均化処理後の既知系列部分を２乗することで信号電力を算出する第１の２乗手段と、前記既知系列と平均化処理後の既知系列部分とを用いて再変調処理を行う再変調手段と、前記既知系列抽出手段にて抽出した既知系列部分から再変調後の信号を減算する減算手段と、減算後の信号を２乗する第２の２乗手段と、前記第２の２乗手段出力の信号を用いて干渉電力の平均化処理を行う第２の平均化手段と、前記平均干渉電力を複数スロットにわたって平均化する第１のスロット平均化手段と、前記信号電力を複数スロットにわたって平均化された平均干渉電力で除算する除算手段と、サブキャリア群単位に得られる前記除算結果を合成し、合成時に使用したサブキャリア群数を用いて当該合成結果を平均化するサブキャリア群平均化手段と、サブキャリア群数による平均化後の信号を複数スロットにわたって平均化するスロット平均化手段と、を備えることを特徴とする。
【００３３】
つぎの発明にかかる移動体通信システムにおいて、前記ＳＩＲ推定手段は、前記サブキャリア群平均化手段の出力を、推定信号対干渉電力比とすることを特徴とする。
【００３４】
つぎの発明にかかる移動体通信システムにおいて、前記ＳＩＲ推定手段は、サブキャリア群単位に得られる除算結果を、推定信号対干渉電力比とすることを特徴とする。
【００３５】
つぎの発明にかかる移動体通信システムにおいて、前記ＳＩＲ推定手段は、サブキャリア群単位に得られる除算結果を、サブキャリア群単位に複数スロットにわたって平均化し、その平均化結果を推定信号対干渉電力比とすることを特徴とする。
【００３６】
つぎの発明にかかる移動体通信システムにおいて、前記変調手段は、受け取った信号対干渉電力比に応じて、ＢＰＳＫ，ＱＰＳＫ，８ＰＳＫ，１６ＰＳＫ，１６ＱＡＭ，６４ＱＡＭ，１２８ＱＡＭ，２５６ＱＡＭのなかから、いずれか１つの変調方式を選択することを特徴とする。
【００３７】
つぎの発明にかかる移動体通信システムにおいて、前記周波数拡散手段は、受け取った信号対干渉電力比に応じて、適切な周波数拡散率を選択することを特徴とする。
【００３８】
つぎの発明にかかるマルチキャリアＣＤＭＡ送信装置にあっては、サブキャリア群単位に変換された送信データを用いて、サブキャリア群単位に、共通パイロット部分と受信側で信号対干渉電力比を推定するための既知系列部分とデータ部分で構成されたスロットを作成し、各スロットを所定のサブキャリア数分だけ複製して出力するスロット作成手段と、複製後の信号をサブキャリア群中のサブキャリア単位に変調する変調手段と、変調後のサブキャリア群中のサブキャリア信号に対して個別に周波数拡散を行う周波数拡散手段と、周波数拡散後のサブキャリア信号に対してサブキャリア群単位に送信電力制御を行う送信電力制御手段と、送信電力制御後のサブキャリア信号をサブキャリア群単位に多重化する多重化手段と、多重化後のサブキャリア信号に対して逆フーリエ変換処理、ガードインターバル設定処理および周波数変換処理を行うことで生成した所定の信号を伝送路上に送信する送信手段と、を備えることを特徴とする。
【００３９】
つぎの発明にかかるマルチキャリアＣＤＭＡ送信装置において、前記変調手段は、受け取った信号対干渉電力比に応じて、ＢＰＳＫ，ＱＰＳＫ，８ＰＳＫ，１６ＰＳＫ，１６ＱＡＭ，６４ＱＡＭ，１２８ＱＡＭ，２５６ＱＡＭのなかから、いずれか１つの変調方式を選択することを特徴とする。
【００４０】
つぎの発明にかかるマルチキャリアＣＤＭＡ送信装置において、前記周波数拡散手段は、受け取った信号対干渉電力比に応じて、適切な周波数拡散率を選択することを特徴とする。
【００４１】
つぎの発明にかかるマルチキャリアＣＤＭＡ受信装置にあっては、受け取った伝送路上の信号をベースバンド信号に変換し、当該ベースバンド信号に対してフーリエ変換を行う受信手段と、フーリエ変換後の各サブキャリア信号に含まれる共通パイロット部分を抽出する共通パイロット抽出手段と、前記共通パイロット部分を用いてサブキャリア単位のチャネル推定値を算出するチャネル推定手段と、フーリエ変換後の各サブキャリア信号を前記抽出処理およびチャネル推定処理に要する時間だけ遅延させる遅延手段と、前記各チャネル推定値を用いて遅延後の各サブキャリア信号のフェ−ジング補償を行うフェ−ジング補償手段と、フェ−ジング補償後の各サブキャリア信号に対して周波数逆拡散を行う周波数逆拡散手段と、周波数逆拡散後のサブキャリア群の信号に含まれる既知系列部分を用いて信号対干渉電力比を推定するＳＩＲ推定手段と、周波数逆拡散後のサブキャリア群の信号を復調する復調手段と、を備えることを特徴とする。
【００４２】
つぎの発明にかかるマルチキャリアＣＤＭＡ受信装置において、前記チャネル推定手段は、サブキャリア単位のチャネル推定値を算出後、さらに、当該サブキャリア単位のチャネル推定値と、次スロット入力時に算出されるサブキャリア単位のチャネル推定値と、の２つのスロット間における一次補間値を算出し、その算出結果をチャネル推定値として出力することを特徴とする。
【００４３】
つぎの発明にかかるマルチキャリアＣＤＭＡ受信装置において、前記ＳＩＲ推定手段は、前記既知系列部分を抽出する既知系列抽出手段と、予め判っている既知系列を発生する既知系列発生手段と、前記既知系列を利用して前記既知系列部分の変調成分を除去する逆変調手段と、変調成分除去後の既知系列部分を用いて同相平均化処理を行うことで雑音成分を抑圧する第１の平均化手段と、平均化処理後の既知系列部分を２乗することで信号電力を算出する第１の２乗手段と、前記既知系列と平均化処理後の既知系列部分とを用いて再変調処理を行う再変調手段と、前記既知系列抽出手段にて抽出した既知系列部分から再変調後の信号を減算する減算手段と、減算後の信号を２乗する第２の２乗手段と、前記第２の２乗手段出力の信号を用いて干渉電力の平均化処理を行う第２の平均化手段と、前記信号電力を前記平均干渉電力で除算する除算手段と、サブキャリア群単位に得られる前記除算結果を合成し、合成時に使用したサブキャリア群数を用いて当該合成結果を平均化するサブキャリア群平均化手段と、サブキャリア群数による平均化後の信号を複数スロットにわたって平均化するスロット平均化手段と、を備えることを特徴とする。
【００４４】
つぎの発明にかかるマルチキャリアＣＤＭＡ受信装置において、前記ＳＩＲ推定手段は、前記既知系列部分を抽出する既知系列抽出手段と、予め判っている既知系列を発生する既知系列発生手段と、前記既知系列を利用して前記既知系列部分の変調成分を除去する逆変調手段と、変調成分除去後の既知系列部分を用いて同相平均化処理を行うことで雑音成分を抑圧する第１の平均化手段と、平均化処理後の既知系列部分を２乗することで信号電力を算出する第１の２乗手段と、前記既知系列と平均化処理後の既知系列部分とを用いて再変調処理を行う再変調手段と、前記既知系列抽出手段にて抽出した既知系列部分から再変調後の信号を減算する減算手段と、減算後の信号を２乗する第２の２乗手段と、前記第２の２乗手段出力の信号を用いて干渉電力の平均化処理を行う第２の平均化手段と、前記平均干渉電力を複数スロットにわたって平均化する第１のスロット平均化手段と、前記信号電力を複数スロットにわたって平均化された平均干渉電力で除算する除算手段と、サブキャリア群単位に得られる前記除算結果を合成し、合成時に使用したサブキャリア群数を用いて当該合成結果を平均化するサブキャリア群平均化手段と、サブキャリア群数による平均化後の信号を複数スロットにわたって平均化するスロット平均化手段と、を備えることを特徴とする。
【００４５】
つぎの発明にかかるマルチキャリアＣＤＭＡ受信装置において、前記ＳＩＲ推定手段は、前記サブキャリア群平均化手段の出力を、推定信号対干渉電力比とすることを特徴とする。
【００４６】
つぎの発明にかかるマルチキャリアＣＤＭＡ受信装置において、前記ＳＩＲ推定手段は、サブキャリア群単位に得られる除算結果を、推定信号対干渉電力比とすることを特徴とする。
【００４７】
つぎの発明にかかるマルチキャリアＣＤＭＡ受信装置において、前記ＳＩＲ推定手段は、サブキャリア群単位に得られる除算結果を、サブキャリア群単位に複数スロットにわたって平均化し、その平均化結果を推定信号対干渉電力比とすることを特徴とする。
【００４８】
【発明の実施の形態】
以下に、本発明にかかる移動体通信システム、マルチキャリアＣＤＭＡ送信装置（以降、送信装置と呼ぶ）、マルチキャリアＣＤＭＡ受信装置（以降、受信装置と呼ぶ）の実施の形態を図面に基づいて詳細に説明する。なお、この実施の形態によりこの発明が限定されるものではない。
【００４９】
実施の形態１．
図１は、本発明にかかる受信装置の実施の形態１の構成を示す図である。図１において、３０１はアンテナであり、３０２は周波数変換部であり、３０３はガードインターバル除去部であり、３０４はフーリエ変換部であり、３０５−１〜３０５−ｍは共通パイロット抽出部であり、３０６はサブキャリア毎チャネル推定部であり、３０７は遅延器であり、１−１，１−２，１−３，・・・，１−ｍはフェ−ジング補償部であり、３０９は周波数逆拡散部であり、２−１，２−２，２−３，・・・，２−ｎはＳＩＲ算出部であり、３１０はパラレル／シリアル変換部であり、３１１はデータ判定部であり、３はサブキャリア群平均化部であり、４は平均化部である。
【００５０】
また、図２は、本発明にかかる送信装置の実施の形態１の構成を示す図である。図２において、２０１はシリアル／パラレル変換部（Ｓ／Ｐ）であり、１１−１，１１−２，・・・，１１−ｎはそれぞれ第１，２〜，Ｎscg（＝ｎ）番目のサブキャリア群変調処理部であり、２０３−１，２０３−２，・・・，２０３−ｎは多重化部であり、２０４は逆フーリエ変換部であり、２０５はガードインターバル（ＧＩ）付加部であり、２０６は周波数変換部であり、２０７はアンテナである。また、各サブキャリア群変調処理部において、１２−１，１２−２，・・・，１２−ｎはスロット作成部であり、２１２−１，２１２−２，・・・，２１２−ｎはコピー部であり、２１３−１，２１３−２，・・・，２１３−ｎは情報変調部であり、２１４−１，２１４−２，・・・，２１４−ｎは周波数拡散部であり、１３−１，１３−２，・・・，１３−ｎは送信電力可変部である。
【００５１】
ここで、上記本実施の形態の移動体通信システムにおけるマルチキャリアＣＤＭＡ送受信装置の動作について説明する。なお、ここでは、基地局と複数端末間のデータ送受信を仮定する。
【００５２】
まず、送信装置の動作について説明する。任意の端末に対して送信する送信データは、シリアル／パラレル変換部２０１に入力され、ここで、並列数がＮscg（予め定められた整数）となるパラレルデータに変換され、それぞれ、サブキャリア群変調処理部１１−１〜ｎに到達する。なお、サブキャリア群単位に変調処理を行う第１番目〜第Ｎscg番目のサブキャリア群変調処理部１１−１〜ｎでは、すべて同一の信号処理を行うので、ここでは、第１番目のサブキャリア群変調処理部１１−１での動作について説明を行い、他のサブキャリア群変調処理部については説明を省略する。
【００５３】
サブキャリア群変調処理部１１−１には、シリアル／パラレル変換部２０１のパラレル出力のうち、第１番目のデータ系列が入力され、まず、スロット作成部１２−１が、所定のスロットを作成する。図３は、各スロット作成部の構成を示す図であり、２１はスロット毎データ分割部であり、２２は既知系列付加部であり、２３は共通パイロット付加部である。また、図４は、サブキャリア単位のスロットフォーマットを示す図である。具体的にいうと、スロット作成部１２−１では、図４に示すスロットを作成するために、スロット毎データ分割部２１が、スロットのデータサイズであるＮdataシンボル単位にデータ分割処理を行う。データ分割処理後のデータを受け取った既知系列付加部２２では、当該データにＮkwシンボル分の予め定められた既知の系列を付加する。さらに、既知系列付加後のデータを受け取った共通パイロット付加部２３では、当該データにＮpilotシンボル分の予め定められた既知の系列を付加し、最終的に図４に示すスロット構成のサブキャリア群データを作成する。そして、当該サブキャリア群データを、コピー部２１２−１に対して出力する。
【００５４】
第１番目のサブキャリア群データを受け取ったコピー部２１２−１では、当該フレームを予め定められたサブキャリア数Ｎsub（＝ｍ）分だけコピーしてＮsub個分のサブキャリア信号を作成する。なお、各コピー部の構成は先に説明した図１７と同様である。そして、コピー部２１２−１では、Ｎsub個分のサブキャリア信号を情報変調部２１３−１に対して出力する。
【００５５】
Ｎsub個分のサブキャリア信号を受け取った情報変調部２１３−１では、当該信号をＱＰＳＫ変調部２２１−１〜２２１−ｍでＱＰＳＫ変調し、Ｎsub個の情報変調後サブキャリア信号を作成する。なお、各情報変調部の構成は先に説明した図１８と同様である。そして、当該Ｎsub個の情報変調後サブキャリア信号を周波数拡散部２１４−１に対して出力する。
【００５６】
周波数拡散部２１４−１では、Ｎsub個の情報変調後サブキャリア信号に対して、複数の端末単位あるいは送信する他のチャネル単位に予め与えられた互いに直交する周波数拡散コード（コードは±１で表現される）を用いて、周波数拡散を行う。なお、各周波数拡散部の構成は先に説明した図１９と同様である。具体的にいうと、Ｎsub個の情報変調後サブキャリア信号に、周波数拡散コード生成部２２２が出力する各周波数拡散コードを乗算する。なお、周波数拡散コードは、一般的に、直交符号であるＷａｌｓｃｈ符号が用いられる。そして、周波数拡散部２１４−１では、Ｎsub個の周波数拡散後サブキャリア信号を送信電力可変部１３−１に対して出力する。
【００５７】
図５は、各送信電力可変部の構成を示す図であり、３１−１，３１−２，・・・，３１−ｍは乗算器である。送信電力可変部１３−１では、乗算器３１−１〜３１−ｍが、受け取ったＮsub個の周波数拡散後サブキャリア信号と当該信号に個別に対応する送信電力制御ゲインとを乗算し、それらの乗算結果として送信電力制御後サブキャリア信号を生成する。そして、当該送信電力制御後サブキャリア信号を、多重化部２０３−１に対して出力する。なお、送信電力制御ゲインは、受信側である端末の受信信号品質に基づいて、受信端末側で信号品質が一定のレベルに保てるように適切な値が設定される。
【００５８】
Ｎsub個の送信電力制御後サブキャリア信号を受け取った多重化部２０３−１では、当該各サブキャリア信号（複数の端末へ送信するための送信信号）を多重化し、多重化後のサブキャリア信号を逆フーリエ変換部２０４に対して出力する。このとき、逆フーリエ変換部２０４には、多重化部２０３−１の他、多重化部２０３−２〜２０３−ｎで得られた多重化後のサブキャリア信号も入力され、合計でＮscg×Ｎsub（＝Ｎc）個のサブキャリア信号が入力される。
【００５９】
逆フーリエ変換部２０４では、受け取った複数のサブキャリア信号を用いて逆フーリエ変換処理を行い、逆フーリエ変換後の信号をガードインターバル付加部２０５に対して出力する。
【００６０】
ガードインターバル付加部２０５では、当該逆フーリエ変換後の信号におけるシンボルの後部をτGI時間分だけコピーし、それをシンボルの先頭に貼り付ける（図２０参照）。そして、ガードインターバル付加後の信号を周波数変換部２０６に対して出力する。なお、τGIは、一般的に、伝送路上の遅延波広がりよりも小さくなるように設定される（図２１参照）。
【００６１】
最後に、周波数変換部２０６では、受け取ったガードインターバル付加後の信号に対して所定の周波数変換処理を行い、その後、アンテナを介して、当該周波数変換後の信号を無線通信における伝送路上に出力する。
【００６２】
つぎに、受信装置の動作を、図１を用いて説明する。アンテナ３０１を介して、無線通信路上で周波数選択性フェージング等の影響を受けた信号を受け取った周波数変換部３０２では、当該信号をベースバンド信号に変換する。そして、当該ベースバンド信号をガードインターバル除去部３０３に対して出力する。
【００６３】
ガードインターバル除去部３０３では、受け取ったベースバンド信号からガードインターバル（ＧＩ）を除去し、シンボルごとに連なった信号（図２０上部参照）を生成する。そして、当該信号をフーリエ変換部３０４に対して出力する。
【００６４】
フーリエ変換部３０４では、受け取った信号に対してフーリエ変換処理を行い、Ｎscg×Ｎsub（＝Ｎc）個のサブキャリア信号を生成する。そして、当該各サブキャリア信号を、サブキャリア単位に、遅延器３０７および共通パイロット抽出部３０５−１〜３０５−ｍに対してそれぞれ出力する。
【００６５】
共通パイロット抽出部３０５−１〜３０５−ｍでは、それぞれ受け取ったサブキャリア信号から共通パイロット部分の抽出を行う。また、サブキャリア毎チャネル推定部３０６では、隣り合う３個のサブキャリアのチャネル推定値を同相加算することにより、雑音成分を抑圧したサブキャリア単位のチャネル推定値を算出する。そして、当該サブキャリア単位のチャネル推定値（サブキャリアチャネル推定信号）を、サブキャリア単位にフェ−ジング補償部１−１〜１−ｍに対して出力する。
【００６６】
一方、フーリエ変換後の各サブキャリア信号を受け取った遅延器３０７では、共通パイロット抽出部３０５−１〜３０５−ｍの処理とサブキャリア毎チャネル推定部３０６の処理による遅延を調整するため、遅延処理を行う。そして、遅延後のサブキャリア信号を、サブキャリア単位にフェ−ジング補償部１−１〜１−ｍに対して出力する。
【００６７】
図６は、各フェ−ジング補償部の構成を示す図であり、４１は絶対値算出部であり、４２は除算部であり、４３は複素共役算出部であり、４４は乗算部である。フェ−ジング補償部１−１では、フェ−ジング変動による位相成分の補償を行うため、サブキャリアチャネル推定信号を信号振幅で正規化する。具体的にいうと、まず、絶対値算出部４１が、受け取ったサブキャリアチャネル推定信号の振幅値を算出するために、サブキャリアチャネル推定信号の絶対値を算出する。つぎに、除算部４２では、正規化処理を行うため、受け取ったサブキャリアチャネル推定信号を当該絶対値で除算する。つぎに、複素共役算出部４３では、除算部４２の出力の共役複素値を算出する。つぎに、乗算部４４では、受け取ったサブキャリア信号に当該複素共役値を乗算する。最後に、フェ−ジング補償部１−１では、フェージング補償後のサブキャリア信号を、サブキャリア単位に周波数逆拡散部３０９に対して出力する。
【００６８】
周波数逆拡散部３０９では、サブキャリア群に対応したＮsub個のサブキャリア信号を一つの処理単位とし、まず、Ｎsub個のサブキャリア信号を受け取った乗算器３２４−１〜３２４−ｍが、当該Ｎsub個のサブキャリア信号と周波数逆拡散コード生成部３２３が出力する周波数逆拡散コード（周波数拡散コードと同一のコードであり±１で表現可能）とをそれぞれ乗算する。つぎに、合成部３２５では、受け取ったＮsub個分の逆拡散後のサブキャリア信号を合成し、その合成結果としてサブキャリア群信号に相当する周波数逆拡散信号を生成する。そして、当該周波数逆拡散後信号を、サブキャリア群単位にＳＩＲ算出部２−１〜２−ｎおよびパラレル／シリアル変換部３１０に対して出力する。
【００６９】
図７は、各ＳＩＲ算出部の構成を示す図であり、５１は既知系列抽出部であり、５２は逆変調部であり、５３は平均化部であり、５４は２乗部であり、５５は既知系列発生部であり、５６は再変調部であり、５７は減算部であり、５８は２乗部であり、５９は平均化部であり、６０は除算部である。なお、各ＳＩＲ算出部では同一の動作が行われるので、ここでは、特にＳＩＲ算出部２−１の動作についてのみ説明する。ＳＩＲ算出部２−１では、まず、既知系列抽出部５１が、受け取った周波数逆拡散後のサブキャリア群信号のなかから、図４に示す既知系列を抽出する。
【００７０】
つぎに、抽出された既知系列部分を受け取った逆変調部５２では、既知系列発生部５５が生成する受信端末側で予め判っている既知系列を利用して、変調成分を除去する。つぎに、変調成分除去後の既知系列部分を受け取った平均化部５３では、Ｎkw個の既知系列部分のシンボルを用いて同相平均化処理を行い、雑音成分を抑圧する。つぎに、平均化処理後の既知系列部分を受け取った２乗部５４では、当該既知系列部分を２乗する。
【００７１】
一方、既知系列発生部５５が生成する受信端末側で予め判っている既知系列と、平均化部５３出力の平均化処理後の既知系列部分と、を受け取った再変調部５６では、これらの信号を用いて再び変調処理を行う。本実施の形態では、図２の送信装置で情報変調としてＱＰＳＫ変調が行われているため、再度、ＱＰＳＫ変調が行われることになる。
【００７２】
つぎに、減算部５７では、受け取った既知系列抽出部５１にて抽出された既知系列部分から再変調後の信号を減算する。この減算は、シンボル単位に既知シンボル数に相当するＮkw個分だけ行われる。つぎに、減算結果を受け取った２乗部５８では、Ｎkw個のシンボル分の２乗値を算出する。つぎに、平均化部５９では、受け取った２乗算出結果を用いて平均化処理を行い、Ｎkw個のシンボル分の平均干渉電力を算出する。
【００７３】
最後に、ＳＩＲ算出部２−１の除算部６０では、２乗部５４の演算結果を平均化部５９の演算結果で除算し、その除算結果として、スロット単位にサブキャリア群のＳＩＲ算出値を生成する。そして、当該ＳＩＲ算出値をサブキャリア群平均化部３に対して出力する。
【００７４】
つぎに、すべてのＳＩＲ算出部２−１〜２−ｎからＳＩＲ算出値を受け取ったサブキャリア群平均化部３では、当該Ｎscg個のＳＩＲ算出値を平均化し、その平均化結果を平均化部４に対して出力する。
【００７５】
図８は、平均化部４の構成を示す図であり、７１は増幅部であり、７２は加算部であり、７３は増幅部であり、７４は遅延器である。平均化部４では、まず、増幅部７１が、受け取った合成結果に対して任意定数α（０＜α＜１）をゲインとして乗算する。つぎに、加算部７２では、増幅部７３の演算結果と増幅部７１の演算結果とを加算し、その加算結果を平均化されたＳＩＲ推定値として出力する。なお、平均化されたＳＩＲ推定値を受け取った遅延器７４では、一定時間、たとえば、１スロット分の遅延処理を行い、さらに、増幅部７３では、遅延処理後のＳＩＲ推定値にゲイン（１−α）を乗算し、その結果を加算部７２に対して出力する。
【００７６】
ただし、本実施の形態では、平均化部４の構成例として、図８に示す構成を用いたが、これ限らず、たとえば、図９に示すような平均化部を用いることとしてもよい。図９において、７５はシフトレジスタ部であり、７６は加算部であり、７７は任意定数Ｍで除算を行う除算部である。このような構成を用いた場合、平均化部４では、まず、シフトレジスタ７５が、受け取った合成後のＳＩＲ算出値をスロット単位にシフトし、つぎに、加算部７６が、Ｍスロット分のＳＩＲ値を加算し、最後に、除算部７７が、当該加算結果をＭで除算することで、Ｍスロット分のＳＩＲ算出値を平均化する。
【００７７】
このように、本実施の形態においては、サブキャリア群のスロット単位に共通パイロットシンボルと既知系列を付加する構成としたため、サブキャリア群単位にＳＩＲ算出値を精度よく得ることができる。
【００７８】
また、本実施の形態においては、サブキャリア群単位に得られるＳＩＲ算出値を合成した後に、平均化処理を行っているので、シャドウイング等のレベル変動がある場合においても、精度よくＳＩＲ算出値を得ることができる。
【００７９】
また、本実施の形態においては、サブキャリア群単位に得られるＳＩＲ算出値の合成結果に基づいて、送信装置側が送信電力の制御を行うので、受信装置側にて精度のよい受信信号品質を得ることができる。
【００８０】
なお、本実施の形態では、スロット中において、共通パイロットシンボルの後に既知系列を配置することとしているが、必ずしも共通パイロットシンボルの後に既知系列を配置する必要はなく、たとえば、スロットの中央部やスロットの最後部に配置することとしてもよい。
【００８１】
また、上記サブキャリア毎チャネル推定部３０６では、雑音成分を抑圧したサブキャリア単位のチャネル推定値を算出後、さらに、当該サブキャリア単位のチャネル推定値と、次スロット入力時に同様に算出されるサブキャリア単位のチャネル推定値と、を用いて、２つのスロット間における一次補間値を算出することとしてもよい。
【００８２】
この場合、現スロットのサブキャリア毎チャネル推定値をＣ（０）とし、次スロットのサブキャリア毎チャネル推定値をＣ（１）とし、さらに、共通パイロットシンボル間のシンボル数を（Ｎkw＋Ｎdata）とすると（図４参照）、スロット内の既知系列部分とデータ部分の（Ｎkw＋Ｎdata）個のシンボルのチャネル推定値ｃｉｒ（ｋ）は、次式（１）のとおり表現することができる。
ｃｉｒ（ｋ）＝Ｃ（０）Ｑ0（ｋ／（Ｎkw＋Ｎdata））
＋Ｃ（１）Ｑ 1（ｋ／（Ｎkw＋Ｎdata））          （１）
ただし、ｋ＝０，１，２，・・・，（Ｎkw＋Ｎdata−１）であり、Ｑ0，Ｑ 1はそれぞれ、次式（２）（３）で表現される。
Ｑ0（ｋ／（Ｎkw＋Ｎdata））＝１−ｋ／（Ｎkw＋Ｎdata）        （２）
Ｑ1（ｋ／（Ｎkw＋Ｎdata））＝ｋ／（Ｎkw＋Ｎdata）            （３）
【００８３】
そして、上記のように算出されたサブキャリア毎チャネル推定値を、フェ−ジング補償部１−１〜１−ｍに対して出力し、ここで、上記のようにフェ−ジング補償を行う。なお、遅延器３０７では、上記一次補間処理を考慮して遅延量を設定する。
【００８４】
したがって、このようなサブキャリア毎チャネル推定部３０６を用いた場合には、サブキャリア単位に２スロット分の共通パイロットを用いて一次補間を行っているので、スロット内でフェ−ジング変動の影響が無視できなくなるような高速フェ−ジング変動の場合においても、精度よくチャネル推定が行える。そのため、既知系列部分およびデータ部分のシンボルのフェ−ジング補償が精度良く行えることとなり、結果として、ＳＩＲ推定値の精度が向上する。
【００８５】
実施の形態２．
実施の形態２の移動体通信システムにおいては、受信装置内のＳＩＲ算出部のＳＩＲ算出方法が前述の実施の形態１と異なる。ここでは、前述の実施の形態１と動作の異なる部分についてのみ説明する。なお、本実施の形態の送信装置および受信装置の構成は、前述の図１および図２の構成と同様である。
【００８６】
図１０は、実施の形態２のＳＩＲ算出部の構成を示す図であり、６１は平均化部である。平均化部６１には、平均化部５９から出力されるスロット単位の平均干渉電力が入力され、ここでは、複数のスロットを用いて平均干渉電力がさらに平均化される。なお、平均化部６１の構成は、たとえば、前述の図８または図９の構成と同一である。
【００８７】
このように、本実施の形態においては、実施の形態１と同様の効果が得られるとともに、さらに、スロット単位の平均干渉電力を推定した後に、複数スロットを用いてさらに平均化処理を行って干渉電力を算出する構成としたため、受信信号品質の指標であるＳＩＲ推定値をさらに精度良く算出することができる。
【００８８】
なお、本実施の形態では、図１に示すように、平均化部４の出力をＳＩＲ推定値として出力していたが、これに限らず、たとえば、サブキャリア群平均化部３の出力をＳＩＲ推定値してもよい。これにより、フェージング変動で信号電力が変動する場合においても、フェージング変動を考慮したＳＩＲ推定値を、精度良く算出することができる。
【００８９】
また、サブキャリア群単位のＳＩＲ算出部２−１〜２―ｎの出力値をＳＩＲ推定値としてもよい。この場合、基地局では、受け取ったサブキャリア群単位のＳＩＲ情報に基づいて、サブキャリア群単位に送信電力制御を行うことができる。
【００９０】
また、サブキャリア群単位のＳＩＲ算出部２−１〜２―ｎの後段に個別に図８または図９に示す平均化部４を設け、各平均化部の出力値をＳＩＲ推定値としてもよい。この場合、フェ−ジング変動を考慮したサブキャリア群単位のＳＩＲ情報に基づいて、サブキャリア群単位に送信電力制御を行うことができる。
【００９１】
実施の形態３．
実施の形態３の移動体通信システムにおいては、送信装置内の情報変調部の動作が前述の実施の形態１または２と異なる。ここでは、先に説明した実施の形態１または２と動作の異なる部分についてのみ説明する。なお、本実施の形態の送信装置および受信装置の構成は、先に説明した図１および図２の構成と同様である。
【００９２】
図１１は、実施の形態３の情報変調部の構成を示す図であり、８１−１，８１−２，・・・，８１−ｍは多値変調部である。たとえば、Ｎsub個分のサブキャリア信号を受け取った各情報変調部では、当該信号を多値変調部８１−１〜８１−ｍで多値変調し、Ｎsub個の情報変調後サブキャリア信号を作成する。なお、ここでいう多値変調とは、ＢＰＳＫ，ＱＰＳＫ，８ＰＳＫ，１６ＰＳＫ，１６ＱＡＭ，６４ＱＡＭ，１２８ＱＡＭ，２５６ＱＡＭ等の１シンボルで送信できるビット数が１以上の変調方式を包含する。
【００９３】
上記動作を移動体通信システムとして具体的に説明すると、まず、移動局受信装置側では、受信信号品質であるＳＩＲを推定する。そして、移動局送信装置側では、その推定結果を送信スロットに挿入した状態で、当該送信スロットを基地局に対して送信する。一方、基地局送信装置側では、受け取ったＳＩＲ情報に基づいて、適切な変調方式を選択し、以降、選択された変調方式を用いてデータ送信を行う。
【００９４】
なお、基地局が送信する送信スロットの共通パイロット部分と既知系列部分については、予め定められた変調方式である、たとえば、ＱＰＳＫ変調方式を用いるものとする。また、データ部分の変調方式については、多値変調方式である、ＢＰＳＫ，ＱＰＳＫ，８ＰＳＫ，１６ＰＳＫ，１６ＱＡＭ，６４ＱＡＭ，１２８ＱＡＭ，２５６ＱＡＭのいずれか１つを用いるものとする。ただし、これらの変調方式の場合は、ＰＳＫの前の数字が大きくなるほど、１シンボルあたりに送信できるビット数が多くなるが、受信信号品質であるＳＩＲは、所要品質を満たそうとすると大きな値が必要となる。そこで、基地局では、移動局のＳＩＲ推定値に基づいて、変調方式を変更できるようにする。図１２は、変調方式変更の一例を示す図である。ここでは、伝送路状況に応じてＳＩＲ推定値に若干の誤差が生じる可能性があるため、ＳＩＲ推定値にはオーバーラップする領域を設定する。
【００９５】
このように、本実施の形態のおいては、実施の形態１または２と同様の効果が得られるとともに、さらに、移動局側からの受信ＳＩＲに応じて、基地局側で情報速度を変更することが可能な構成としたため、周波数利用効率を大幅に向上させることができる。
【００９６】
実施の形態４．
実施の形態４の移動体通信システムにおいては、送信装置内の周波数拡散部の動作が前述の実施の形態１、２または３と異なる。ここでは、先に説明した実施の形態１、２または３と動作の異なる部分についてのみ説明する。なお、本実施の形態の送信装置および受信装置の構成は、先に説明した図１および図２の構成と同様である。
【００９７】
本実施の形態の各周波数拡散部では、先に説明した実施の形態１と同様の互いに直交する周波数拡散コードを用いて、Ｎsub個の情報変調後サブキャリア信号に対して周波数拡散を行う。具体的にいうと、Ｎsub個の情報変調後サブキャリア信号に、周波数拡散コード生成部２２２が出力する各周波数拡散コードを乗算する（図１９参照）。
【００９８】
ただし、本実施の形態においては、基地局送信装置側の周波数拡散部２１４−１〜２１４−ｎで用いられる周波数拡散率が、移動局受信装置側で推定されるＳＩＲ推定値に基づいて設定される。
【００９９】
すなわち、本実施の形態では、移動局受信装置側が、受信信号品質であるＳＩＲを推定し、移動局送信装置側が、その推定結果を送信スロットに挿入し、当該送信スロットを基地局に対して送信する。基地局送信装置側では、受け取ったＳＩＲ情報に基づいて、適切な周波数拡散率を選択し、以降、選択された周波数拡散率を用いて周波数拡散を行い、データ送信を行う。
【０１００】
なお、基地局が送信する送信スロットの既知系列部分については、予め定められた周波数拡散率で周波数拡散が行われ、受信装置側におけるＳＩＲ推定の基準となる。データ部分の周波数拡散率については、１，２，４、８、１６，３２，・・・を用いることが可能である。ただし、これらの周波数拡散率は、周波数拡散率が大きくなるほど周波数ダイバーシチ効果が大きくなるが、情報伝送速度が低下するために周波数拡散率を小さくし、情報速度を高速にした場合には、受信信号品質であるＳＩＲは、所要品質を満たそうとすると大きな値が必要なる。そこで、基地局では、移動局のＳＩＲ推定値に基づいて、周波数拡散率を変更できるようにする。図１３は、周波数拡散率変更の一例を示す図である。ここでは、伝送路状況に応じてＳＩＲ推定値に若干の誤差が生じる可能性があるため、ＳＩＲ推定値にはオーバーラップする領域を設定する。
【０１０１】
このように、本実施の形態においては、実施の形態１〜３と同様の効果が得られるとともに、さらに、移動局側からの受信ＳＩＲに応じて、基地局側で周波数拡散率を変更できる。
【０１０２】
【発明の効果】
以上、説明したとおり、本発明によれば、サブキャリア群のスロット単位に共通パイロットシンボルと既知系列を付加する構成としたため、サブキャリア群単位にＳＩＲ算出値を精度よく得ることができる、という効果を奏する。また、サブキャリア群単位に得られるＳＩＲ算出値の合成結果に基づいて、送信装置側が送信電力の制御を行うので、受信装置側にて精度のよい受信信号品質を得ることができる、という効果を奏する。
【０１０３】
つぎの発明によれば、サブキャリア単位に２スロット分の共通パイロットを用いて一次補間を行っているので、スロット内でフェ−ジング変動の影響が無視できなくなるような高速フェ−ジング変動の場合においても、精度よくチャネル推定が行える。これにより、既知系列部分およびデータ部分のシンボルのフェ−ジング補償が精度良く行えることとなり、結果として、ＳＩＲ推定値の精度が向上する、という効果を奏する。
【０１０４】
つぎの発明によれば、サブキャリア群単位に得られるＳＩＲ算出値を合成した後に、平均化処理を行っているので、シャドウイング等のレベル変動がある場合においても、精度よくＳＩＲ算出値を得ることができる、という効果を奏する。
【０１０５】
つぎの発明によれば、スロット単位の平均干渉電力を推定した後に、複数スロットを用いてさらに平均化処理を行って干渉電力を算出する構成としたため、受信信号品質の指標であるＳＩＲ推定値をさらに精度良く算出することができる、という効果を奏する。
【０１０６】
つぎの発明によれば、フェージング変動で信号電力が変動する場合においても、フェージング変動を考慮したＳＩＲ推定値を、精度良く算出することができる、という効果を奏する。
【０１０７】
つぎの発明によれば、基地局が、受け取ったサブキャリア群単位のＳＩＲ情報に基づいて、サブキャリア群単位に送信電力制御を行うことができる、という効果を奏する。
【０１０８】
つぎの発明によれば、フェ−ジング変動を考慮したサブキャリア群単位のＳＩＲ情報に基づいて、サブキャリア群単位に送信電力制御を行うことができる、という効果を奏する。
【０１０９】
つぎの発明によれば、移動局側からの受信ＳＩＲに応じて、基地局側で情報速度を変更することが可能な構成としたため、周波数利用効率を大幅に向上させることができる、という効果を奏する。
【０１１０】
つぎの発明によれば、移動局側からの受信ＳＩＲに応じて、基地局側で周波数拡散率を変更できる、という効果を奏する。
【０１１１】
つぎの発明によれば、サブキャリア群のスロット単位に共通パイロットシンボルと既知系列を付加する構成としたため、受信側では、サブキャリア群単位にＳＩＲ算出値を精度よく得ることができる、という効果を奏する。また、サブキャリア群単位に得られるＳＩＲ算出値の合成結果に基づいて、送信装置側が送信電力の制御を行うので、受信装置側にて精度のよい受信信号品質を得ることができる、という効果を奏する。
【０１１２】
つぎの発明によれば、移動局側からの受信ＳＩＲに応じて、基地局側で情報速度を変更することが可能な構成としたため、周波数利用効率を大幅に向上させることができる、という効果を奏する。
【０１１３】
つぎの発明によれば、移動局側からの受信ＳＩＲに応じて、基地局側で周波数拡散率を変更できる、という効果を奏する。
【０１１４】
つぎの発明によれば、サブキャリア群単位に得られるＳＩＲ算出値の合成結果に基づいて、送信装置側が送信電力の制御を行うので、受信装置側にて精度のよい受信信号品質を得ることができる、という効果を奏する。
【０１１５】
つぎの発明によれば、サブキャリア単位に２スロット分の共通パイロットを用いて一次補間を行っているので、スロット内でフェ−ジング変動の影響が無視できなくなるような高速フェ−ジング変動の場合においても、精度よくチャネル推定が行える。これにより、既知系列部分およびデータ部分のシンボルのフェ−ジング補償が精度良く行えることとなり、結果として、ＳＩＲ推定値の精度が向上する、という効果を奏する。
【０１１６】
つぎの発明によれば、サブキャリア群単位に得られるＳＩＲ算出値を合成した後に、平均化処理を行っているので、シャドウイング等のレベル変動がある場合においても、精度よくＳＩＲ算出値を得ることができる、という効果を奏する。
【０１１７】
つぎの発明によれば、スロット単位の平均干渉電力を推定した後に、複数スロットを用いてさらに平均化処理を行って干渉電力を算出する構成としたため、受信信号品質の指標であるＳＩＲ推定値をさらに精度良く算出することができる、という効果を奏する。
【０１１８】
つぎの発明によれば、フェージング変動で信号電力が変動する場合においても、フェージング変動を考慮したＳＩＲ推定値を、精度良く算出することができる、という効果を奏する。
【０１１９】
つぎの発明によれば、基地局が、受け取ったサブキャリア群単位のＳＩＲ情報に基づいて、サブキャリア群単位に送信電力制御を行うことができる、という効果を奏する。
【０１２０】
つぎの発明によれば、フェ−ジング変動を考慮したサブキャリア群単位のＳＩＲ情報に基づいて、サブキャリア群単位に送信電力制御を行うことができる、という効果を奏する。
【図面の簡単な説明】
【図１】  本発明にかかる受信装置の実施の形態１の構成を示す図である。
【図２】  本発明にかかる送信装置の実施の形態１の構成を示す図である。
【図３】  スロット作成部の構成を示す図である。
【図４】  サブキャリア単位のスロットフォーマットを示す図である。
【図５】  送信電力可変部の構成を示す図である。
【図６】  フェ−ジング補償部の構成を示す図である。
【図７】  ＳＩＲ算出部の構成を示す図である。
【図８】  平均化部４の構成を示す図である。
【図９】  平均化部４の構成を示す図である。
【図１０】  実施の形態２のＳＩＲ算出部の構成を示す図である。
【図１１】  実施の形態３の情報変調部の構成を示す図である。
【図１２】  変調方式変更の一例を示す図である。
【図１３】  周波数拡散率変更の一例を示す図である。
【図１４】  従来のマルチキャリアＣＤＭＡ送信装置の構成を示す図である。
【図１５】  従来のマルチキャリアＣＤＭＡ受信装置の構成を示す図である。
【図１６】  サブキャリア単位のフレームフォーマットを示す図である。
【図１７】  コピー部の構成を示す図である。
【図１８】  情報変調部の構成を示す図である。
【図１９】  周波数拡散部の構成を示す図である。
【図２０】  ガードインターバルを付加する様子を説明するための図である。
【図２１】  周波数選択性フェージング伝送路のインパルス応答の一例を示す図である。
【図２２】  Ｎscg＝４、Ｎsub＝８の場合の周波数軸上の変調信号を示す図である。
【図２３】  フェ−ジング補償部の構成を示す図である。
【図２４】  周波数逆拡散部の構成を示す図である。
【符号の説明】
１−１，１−２，１−３，１−ｍ  フェ−ジング補償部、２−１，２−２，２−３，２−ｎ  ＳＩＲ算出部、３  サブキャリア群平均化部、４  平均化部、１１−１，１１−２，１１−ｎ  サブキャリア群変調処理部、１２−１，１２−２，１２−ｎ  スロット作成部、１３−１，１３−２，１３−ｎ  送信電力可変部、２１  スロット毎データ分割部、２２  既知系列付加部、２３  共通パイロット付加部、３１−１，３１−２，３１−ｍ  乗算器、４１  絶対値算出部、４２除算部、４３  複素共役算出部、４４  乗算部、５１  既知系列抽出部、５２逆変調部、５３  平均化部、５４  ２乗部、５５  既知系列発生部、５６  再変調部、５７  減算部、５８  ２乗部、５９  平均化部、６０  除算部、６１  平均化部、７１  増幅部、７２  加算部、７３  増幅部、７４  遅延器、７５  シフトレジスタ部、７６  加算部、７７  除算部、８１−１，８１−２，８１−ｍ  多値変調部、２０１  シリアル／パラレル変換部、２０２−１，２０２−２，２０２−ｎ  サブキャリア群変調処理部、２０３−１，２０３−２，２０３−ｎ  多重化部、２０４  逆フーリエ変換部、２０５  ガードインターバル付加部、２０６  周波数変換部、２０７，３０１  アンテナ、２１１−１，２１１−２，２１１−ｎ  スロット作成部、２１２−１，２１２−２，２１２−ｎ  コピー部、２１３−１，２１３−２，２１３−ｋ  情報変調部、２１４−１，２１４−２，２１４−ｎ  周波数拡散部、２２１−１，２２１−２，２２１−ｍ  ＱＰＳＫ変調部、２２２  周波数拡散コード生成部、２２３−１，２２３−２，２２３−ｍ  乗算器、３０２  周波数変換部、３０３  ガードインターバル除去部、３０４  フーリエ変換部、３０５−１，３０５−２，３０５−３，３０５−ｍ  共通パイロット抽出部、３０６  サブキャリア毎チャネル推定部、３０７  遅延器、３０８−１，３０８−２，３０８−３，３０８−ｍ  フェ−ジング補償部、３０９  周波数逆拡散部、３１０  パラレル／シリアル変換部、３１１  データ判定部、３２１  乗算器、３２２  複素共役算出部、３２３  周波数逆拡散コード生成部、３２４−１，３２４−２，３２４−ｍ  乗算器、３２５  合成部。
【図１】
0004323103.tif 000002
【図２】
0004323103.tif 000003
【図３】
0004323103.tif 000004
【図４】
0004323103.tif 000005
【図５】
0004323103.tif 000006
【図６】
0004323103.tif 000007
【図７】
0004323103.tif 000008
【図８】
0004323103.tif 000009
【図９】
0004323103.tif 000010
【図１０】
0004323103.tif 000011
【図１１】
0004323103.tif 000012
【図１２】
0004323103.tif 000013
【図１３】
0004323103.tif 000014
【図１４】
0004323103.tif 000015
【図１５】
0004323103.tif 000016
【図１６】
0004323103.tif 000017
【図１７】
0004323103.tif 000018
【図１８】
0004323103.tif 000019
【図１９】
0004323103.tif 000020
【図２０】
0004323103.tif 000021
【図２１】
0004323103.tif 000022
【図２２】
0004323103.tif 000023
【図２３】
0004323103.tif 000024
【図２４】
0004323103.tif 000025